(57)【要約】【課題】印刷された紙を折ることや面付の手間もなく、ぺらもの（裏表一枚もの）のままでしかも糸かがり無しでも背固め良好な製本を可能にする手作り製本用器具及び手作り製本の背固め方法を提供する。【解決手段】印刷された紙（裏表一枚もの）をページ順に揃えた本の中身２の背に和紙２４、寒冷紗２５、クラフト紙等背固め補強紙２６の順にボンドで貼る。しかる後、一対の保護ボード３，３の各上端に位置するように一対の背側挟持バー６，６の各内面上端側に、保護ボード３の厚みよりも太い押さえ棒８をセットし、該押さえ棒８により中身２の背より少し下部の前後両側を天地方向にわたって局部的に強く締め付ける。【選択図】    図６
2004345173.tif 000002
【特許請求の範囲】
【請求項１】
基台と、本の中身を前後両側から挟む一対の保護ボードと、基台上で前記一対の保護ボードの下部を挟持する一対の前小口側挟持バーと、この前小口側挟持バーを前記保護ボードに対して押し付ける押さえねじと、前記一対の保護ボードの上部を挟持する一対の背側挟持バーと、一対の背側挟持バーどうしを締め付ける締付けねじと、を備えてなる手作り製本用器具において、
前記一対の保護ボードの各上端に位置するように前記一対の背側挟持バーの各内面上端側の天地方向にわたって、前記保護ボードの厚みよりも太い押さえ棒をセット可能に備えていることを特徴とする、手作り製本用器具。
【請求項２】
前記押さえ棒がセットされる背側挟持バーの各内面上端側には押さえ棒位置決め用の溝が天地方向にわたって形成され、背側挟持バーの内面には、前記押さえ棒をセットするための板ばね製で上端にフック部を有する形の保持板が前記フック部を前記溝に対向するように取り付けられている、請求項１記載の手作り製本用器具。
【請求項３】
印刷された紙であって裏表一枚ものをページ順に揃えた本の中身の背固めをするに際し、前記背に溝を直交状にかつ天地方向に所定間隔置きに切り込み、前記中身の前記溝内を含む背全体にボンドを塗ったうえで前記溝に平麻等の接合紐部材を差し込み該接合紐部材の上にボンドを付け、次いでこの背に更に和紙、寒冷紗、クラフト紙等の背固め補強紙を順にボンドで貼ったうえで、前記中身の背より少し下部の前後両側を局部的に強く締め付けることを特徴とする、手作り製本の背固め方法。
【請求項４】
前記接合紐部材はこれの両端部を前記背の前後両側へはみ出しておく、請求項３記載の手作り製本の背固め方法。
【発明の詳細な説明】
【０００１】
【発明の属する技術分野】
本発明は、手作り本を手軽に製本できる手作り製本用器具及び手作り製本の背固め方法に関する。
【０００２】
【従来の技術】
手作り製本用器具として、例えば、図７に示すように、基台３０と、この基台３０上で本の中身３１を挟む一対の保護ボード３２，３２と、この一対の保護ボード３２，３２の下部を前後両側から挟持する一対の前小口側挟持バー３３，３３と、この前小口側挟持バー３３を保護ボード３２に対して押し付ける押さえねじ３４と、一対の保護ボード３２，３２の上部を前後両側から挟持する一対の背側挟持バー３５，３５と、一対の背側挟持バー３５，３５どうしを締め付ける締付けねじ３６と、を備えてなるものがある（例えば、特許文献１参照。）。この製本用器具を用いれば、手作り本を手軽に製本できる。
【０００３】
【特許文献１】
実公平７−２６１３４号公報
【０００４】
【発明が解決しようとする課題】
しかるに、上記の手作り製本用器具は製本に際し印刷された紙を二つ折りして折丁とすることを前提として成り立つものであり、折丁は背固めに際しボンド糊の接触面積を増大できて糊付けが良い反面、その二つ折り作業に加えて、編集・面付には非常に手間がかかるという難点がある。
【０００５】
本発明は、このような問題を解消するためになされたものであり、その目的とするところは、印刷された紙を折ることなくぺらもの（裏表一枚もの）のままでしかも編集・面付の必要がなく、糸かがり無しでも背固め良好な製本を可能にする手作り製本用器具及び手作り製本の背固め方法を提供することにある。
【０００６】
【課題を解決するための手段】
本発明の手作り製本用器具は、基台と、本の中身を前後両側から挟む一対の保護ボードと、基台上で前記一対の保護ボードの下部を挟持する一対の前小口側挟持バーと、この前小口側挟持バーを前記保護ボードに対して押し付ける押さえねじと、前記一対の保護ボードの上部を挟持する一対の背側挟持バーと、一対の背側挟持バーどうしを締め付ける締付けねじと、を備えてなる手作り製本用器具において、前記一対の保護ボードの各上端に位置するように前記一対の背側挟持バーの各内面上端側の天地方向にわたって、前記保護ボードの厚みよりも太い押さえ棒をセット可能に備えていることに特徴を有するものである。
【０００７】
この場合において、前記押さえ棒がセットされる背側挟持バーの各内面上端側には押さえ棒位置決め用の溝を天地方向にわたって形成し、背側挟持バーの内面には、前記押さえ棒をセットするための板ばね製で上端にフック部を有する形の保持板を、前記フック部が前記溝に対向するように取り付けることができる。
【０００８】
本発明の手作り製本の背固め方法は、印刷された紙であって裏表一枚ものをページ順に揃えた本の中身の背固めをするに際し、前記背に溝を直交状にかつ天地方向に所定間隔置きに切り込み、前記中身の前記溝内を含む背全体にボンドを塗ったうえで前記溝に平麻等の接合紐部材を差し込み該接合紐部材の上にボンドを付け、次いで前記背に更に和紙、寒冷紗、クラフト紙等の背固め補強紙を順にボンドで貼ったうえで、前記中身の背より少し下部の前後両側を局部的に強く締め付けることに特徴を有するものである。
【０００９】
この場合において、前記接合紐部材はこれの両端部を前記背の前後両側へはみ出しておくことができる。
【００１０】
【作用】
上記構成の手作り製本用器具は、保護ボードの上端に位置するように背側挟持バーの内面上端側に、保護ボードの厚みよりも太い押さえ棒をセット可能に備えているので、本の中身の背固めに際し中身の背全体にボンドを塗った後、一対の背側挟持バーの各内面上端側に押さえ棒をセットして一対の背側挟持バーどうしを締付けねじで締め付けると、押さえバーの保護ボード内面より内方へ突出する部分により中身の背より少し下部の前後両側に対してその締付け荷重が集中するため局部的に強く締め付けることができる。この局部的な締め付けにより中身の背全体に塗られたボンドが毛細管現象による中身の背における紙同士の重合面間への浸透作用を促進できるため、中身が印刷された紙を二つ折りして折丁とするものではなくてぺらもの（裏表一枚もの）からなるものであってもこの背固め効果を高めることができる。
【００１１】
上記構成の手作り製本の背固め方法によれば、本の中身の背に溝を直交状にかつ天地方向に所定間隔置きに切り込み、この溝に平麻等の接合紐部材を差し込んでボンドで接着固定するので、その接合紐部材による紙接合作用により中身の背より少し下部の前後両側の局部的な締付けによる紙間へのボンド浸透促進作用と相俟って中身の背が散けることなくぺらもの（裏表一枚もの）の背固めを安定確実にすることができる。溝切り及び溝への接合紐部材の差込み作業は、従来の中身に糸穴を開け、糸かがりする作業に比べ、きわめて簡単に行える。
【００１２】
接合紐部材はこれの両端部を中身の背の前後両側へはみ出しておくことにより、この両端のはみ出し部分を表紙に貼り付けることにより中身と表紙とのつなぎ材に利用できる。
【００１３】
【発明の実施の形態】
本発明の好適な実施形態を図面に基づき説明する。図１は一実施例の手作り製本用器具の分解斜視図、図２は図１の手作り製本用器具への本の中身のセット状態を示す断面図、図３は本の中身の背固め部分の分解斜視図、図４は本の中身の背に接合紐部材、和紙、寒冷紗及びクラフト紙等背固め補強紙を順に糊付けした状態の断面図、図５は背側挟持バーに押さえ棒をセットした状態図、図６は本の中身の背部付近の締付け状態の断面図である。
【００１４】
本発明に係る手作り製本用器具は、図１および図２に示すように、基台１と、印刷された紙を折ることなくぺらもの（以下、「裏表一枚もの」という。）をページ順に揃えた本の中身２を前後両側から挟む一対の保護ボード３，３と、基台１上で一対の保護ボード３，３の下部を前後両側から挟持する一対の前小口側挟持バー４，４と、前小口側挟持バー４を保護ボード３に対して押し付ける押さえねじ５と、一対の保護ボード３，３の上部を前後両側から挟持する一対の背側挟持バー６，６と、一対の背側挟持バー６，６どうしを締め付ける締付けねじ７と、一対の押さえ棒８，８と、を備えてなる。
【００１５】
図１、図２に示すように、基台１は、長方形の底板９と、底板９の長辺側に配置固定された前後側板１０，１１と、底板９の短辺側に配置固定された左右側板１２，１３とで上方開放状の箱形状に形成されている。
一対の前小口側挟持バー４，４は、それぞれ断面角形状に、かつ中身２の天地方向長さよりも長く形成される。この一対の前小口側挟持バー４，４はこれの中身２の天、地より突出する左右両端側が前後側板１０，１１の左右両端側間にそれぞれ架設した案内棒１４，１４に通されることにより、該案内棒１４，１４に沿って基台１の内部に前後方向に進退動自在に組み込まれる。前小口側挟持バー４を保護ボード３に対して押し付ける押さえねじ５は基台１の前後側板１０，１１にそれぞれ設けたねじ孔１５にねじ込まれ、この押さえねじ５の先端を前小口側挟持バー４に当接させて該前小口側挟持バー４を保護ボード３に対して押し付ける。基台１の左右側板１２，１３の各上面にはその前後方向中央に目盛０を付した目盛板１６が貼り付けられている。
【００１６】
保護ボード３は本の中身２と略同じサイズに形成されている硬質の板であり、この板は中身２の紙と接着固化するのを避けるように形成した樹脂板である。
【００１７】
一対の背側挟持バー６，６は、それぞれ断面角形状に、かつ中身２の天地方向長さよりも長く形成され、一方の背側挟持バー６の中身２の天、地より突出する左右両端側に締付けねじ７が遊嵌状に挿通されるねじ挿通孔１７が形成され、他方の背側挟持バー６の中身２の天、地より突出する左右両端側に締付けねじ７がねじ込まれるねじ孔１８が形成されている。
【００１８】
押さえ棒８は、保護ボード３の厚みよりも太く、つまり保護ボード３の厚みよりも大きい直径の断面円形状のステンレス等の金属棒からなり、一対の背側挟持バー６，６の各内面上端側にセット可能に備えられる（図５参照）。押さえ棒８がセットされる背側挟持バー６の内面上端側には押さえ棒位置決め用の溝１９が左右方向（天地方向）に形成される。たとえば、押さえ棒８の直径は２．５ｍｍとし、溝１９の幅及び深さはそれぞれ１ｍｍとする。また、図１、図５に示すように、背側挟持バー６の内面の左右両端側には、押さえ棒８を溝１９上にセットするための板ばね製で上端にフック部２０ａを有する形の保持板２０がフック部２０ａを溝１９に対向するように取り付けられている。このように押さえ棒８はフック部２０ａを有する保持板２０を用いて背側挟持バー６の内面上端側にセット可能に備えることが簡単かつ確実に取り付けられる点で好ましいが、その他の取り付け手段で押さえ棒８を背側挟持バー６の内面上端側にセット可能に備えることもできる。
【００１９】
上記のように構成された手作り製本用器具を用いることによる手作り本の製本工程を工程順▲１▼〜▲８▼に説明する。
【００２０】
▲１▼  まず、図２に示すように、印刷された裏表一枚ものの紙をページ順に揃えた本の中身２の前後に、それぞれ中身と同じサイズの捨て紙２１を重ねておく。捨て紙２１は、中身２を汚したり、傷つけたりしないためのもので、後で剥がされる。
【００２１】
▲２▼  次に、中身２を前後両側から保護ボード３，３で挟み、中身２の綴じる側（背）を上に向けて基台１内にセットし、中身２の前小口、天及び地の三方をよく揃える。その際、図２に示すように、中身２の背側を保護ボード３の上端より３ｍｍ程度突出させる。次に、一対の背側挟持バー６，６で一対の保護ボード３，３の上部を前後両側から挟み、各締付けねじ７を締めて固定する。このときは背側挟持バー６に押さえ棒８をセットしていないので、保護ボード３に対して背側挟持バー６の内面６ａ全体を均一に押し付けることができる。そして、四つの押さえねじ５を均等に締めることにより一対の前小口側挟持バー４，４を、目盛板１６の目盛中央方向に均等に寄せるように移動させて保護ボード３，３で挟持した中身２がぴったり入る間隔に設定し、この設定した前小口側挟持バー４，４間に、保護ボード３，３で挟んだ中身２を入れ、四つの押さえねじ５を均等に締め上げて中身２を動かない程度に基台１内に固定する。
【００２２】
▲３▼  次に、図３に示すように、糸鋸または鋸刃（図示せず）で中身２の背に溝２２を直交状に１．０〜１．５ｍｍ程度の溝深さに切り込む。溝２２は中身２の天と地の端からそれぞれ１ｃｍの位置ａ，ｂに、また溝２２，２２間の間隔が３〜４ｃｍになるように切り込む。
【００２３】
▲４▼  次に、木工用のボンドを１／３の水で薄めて容器に取り、図３に示すように、平麻や麻の撚り紐、綿紐等の接合紐部材２３、和紙２４、寒冷紗２５、クラフト紙等背固め補強紙２６を、次の寸法に切って用意する。接合紐部材２３としては、とくに強度に優れ、水分の吸収発散が速い平麻が推奨される。
接合紐部材２３は（背幅＋２ｃｍ程度）の長さに切る。和紙２４は（背幅）×（背の長さ）に切る。寒冷紗２５は（背幅＋４ｃｍ程度）×（背の長さ−３ｃｍ）に切る。背固め補強紙２６は（背幅）×（背の長さ）に切る。
【００２４】
▲５▼  次に、一旦締付けねじ７を緩めて背側挟持バー６を、図２中、仮想線Ｐで示すように保護ボード３の上下方向中程付近にまで下げる。次いで、中身２の溝２２内を含む背全体に水溶きボンドを毛先の硬い歯ブラシ等で塗る。そのとき歯ブラシの毛先が紙と紙の間に入り込むようにしてボンドを塗る。このボンド塗りを５〜６回繰り返し、中身２の天・地（左・右）等にはみ出したボンドは製本用ヘラや布切れ等で拭き取る。この背へのボンド塗り時には、背側挟持バー６を一旦保護ボード３の上下方向中程付近にまで下げることによって中身２の背部付近を強く締め付けていないので、ボンドが背の紙と紙との間に浸透し易い。
【００２５】
▲６▼  次に、図４に示すように、中身２の背の溝２２に接合紐部材２３をこの両端が背の前・後両側へそれぞれ１ｃｍ程度はみ出すように差し込む。接合紐部材２３の上にはボンドを付ける。このように背に溝２２を設け、この溝２２内に接合紐部材２３をボンドで接着固定することにより中身２が裏表一枚ものの紙をページ順に揃えたものであっても背の紙と紙とが散けることのないように紙どうしをしっかり接合できる。続いて、背に、従前通り和紙２４、寒冷紗２５、クラフト紙等の背固め補強紙２６を順に重ねてそれぞれボンドで貼る。寒冷紗２５は背の前・後両側それぞれ２ｃｍ程度ずつはみ出すように貼る。接合紐部材２３の両端のはみ出し部分は、寒冷紗２５の両端のはみ出し部分と共に、後工程の表紙貼り工程で表紙に貼り付けることにより中身２と表紙とのつなぎ材に利用できるという利点がある。
【００２６】
▲７▼  次に、背側挟持バー６の締付けねじ７を緩めて、図５に示すごとく押さえ棒８を背側挟持バー６の溝１９と保持板２０のフック部２０ａとの間にセットする。押さえ棒８はフック部２０ａの弾性力により溝１９の開口部に対して強く押し付けられてしっかり固定される。次に、図６に示すように、保護ボード３の上端に押さえ棒８が乗るように背側挟持バー６をセットし、締付けねじ７を締めて中身２の上部を締め付ける。この締め付けによれば、押さえ棒８の保護ボード３内面より内方へ突出する部分により中身２の背より少し下部の前後両側に対してその締付け荷重が集中して局部的に強く締め付けられる。この局部的な締め付けにより中身２の背に塗られたボンドが毛細管現象により中身２の背における紙と紙との間に浸透しやすくなるため、中身２が裏表一枚ものの紙をページ順に揃えたものであっても散けるようなことがなくて背固め効果を向上できる。
このあとすぐ、製本用たわしや毛足の短い硬めのブラシの毛先等で背全体を叩くと、中身２が散けないように背をより一層しっかりと固めることができる。ボンドの乾き時間は季節や室内の温度・湿度など環境によって異なるが、約３時間程度で乾く。速く乾燥させるには扇風機や風通しの良い所を利用すればよい。
【００２７】
▲８▼  ボンドが乾燥固化すると、押さえねじ５、締付けねじ７をそれぞれ緩め、前小口側挟持バー４，４間及び背側挟持バー６，６間から中身２を取り出して捨て紙２１を剥がす。以後、通常通り、二つ折りした見返し用紙（図示せず）を折り山から３ｃｍ程度の幅にボンドを付けて、中身２の最初と最後のページに背に沿って貼る。以上で中身２の背固めは完了する。
背固め後は、通常通り表紙貼り工程（図示せず）を経て製本が完了する。
【００２８】
上記実施例では、背に丸みをつけない角背本における背固めについて説明したが、勿論、本発明は背に丸みをつける丸背本の背固めにも同様に適用できる。
【００２９】
【発明の効果】
本発明の手作り製本用器具によれば、押さえ棒により本の中身の背より少し下部を前後両側から局部的に強く締め付けることができるので、中身の背全体に塗られるボンドが毛細管現象による中身の背における紙間への浸透作用を促進でき、したがって中身が、印刷された紙を二つ折りして折丁とするものではなくて裏表一枚ものの紙をページ順に揃えてなるものであっても、背が散けることのない効果的な背固め状態を得ることができる。
【００３０】
本発明の手作り製本の背固め方法によれば、本の中身の背に溝を直交状にかつ天地方向に所定間隔置きに入れ、この溝に平麻等接合紐部材を差し込んでボンドで接着固定するので、その接合紐部材による紙接合作用により中身の背より少し下部の前後両側の局部的な締付けによる紙間へのボンド浸透促進作用と相俟って中身の背が散けることなく裏表一枚ものの背固めを安定確実にすることができる。
【図面の簡単な説明】
【図１】一実施例の手作り製本用器具の分解斜視図である。
【図２】図１の手作り製本用器具への本の中身のセット状態を示す断面図である。
【図３】本の中身の背固め部分の分解斜視図である。
【図４】本の中身の背に接合紐部材、和紙、寒冷紗及びクラフト紙等背固め補強紙を順に糊付けした状態の断面図である。
【図５】背側挟持バーに押さえ棒をセットした状態図である。
【図６】本の中身の背部付近の締付け状態の断面図である。
【図７】従来例の手作り製本用器具の断面図である。
【符号の説明】
１  基台
２  中身
３  保護ボード
４  前小口側挟持バー
５  押さえねじ
６  背側挟持バー
７  締付けねじ
８  押さえ棒
１９  押さえ棒位置決め用の溝
２０  保持板
２０ａ  フック部
２２  溝
２３  接合紐部材
２４  和紙
２５  寒冷紗
２６  背固め補強紙
【図１】
2004345173.tif 000003
【図２】
2004345173.tif 000004
【図３】
2004345173.tif 000005
【図４】
2004345173.tif 000006
【図５】
2004345173.tif 000007
【図６】
2004345173.tif 000008
【図７】
2004345173.tif 000009